(57)【要約】【課題】軽くて容易に運搬することができ、交点強度が高く、腐食に強く、寿命が長い繊維強化樹脂製の防護柵を提供する。【解決手段】全て繊維強化樹脂製の、複数の柱材２と、１または複数の中間横架材３と、上部横架材４と、複数の補強材１１と、複数の接続材１２とを有している。各柱材２は、それぞれ同じ高さ位置に、中間横架材３を挿入可能に貫通した１または複数の挿入孔２ａを有している。各柱材２は、一列に並ぶよう所定の間隔をあけて互いに平行に配置されている。中間横架材３は、各柱材２の同じ高さ位置の挿入孔２ａに挿入されて、各柱材２に固定されている。上部横架材４は、長さ方向に沿って所定の間隔で、各柱材２の先端を挿入可能な複数の取付孔４ａを有している。上部横架材４は、各取付孔４ａにそれぞれ各柱材２の先端を挿入して、各柱材２に架け渡して固定されている。【選択図】図１
0003194933.tif 000002
【実用新案登録請求の範囲】
【請求項１】
複数の柱材と、１または複数の中間横架材と、上部横架材とを有し、
各柱材は、それぞれ同じ高さ位置に、前記中間横架材を挿入可能に貫通した１または複数の挿入孔を有し、一列に並ぶよう所定の間隔をあけて互いに平行に配置され、
前記中間横架材は、各柱材の同じ高さ位置の挿入孔に挿入されて各柱材に固定され、
前記上部横架材は、長さ方向に沿って前記所定の間隔で、各柱材の先端を挿入可能な複数の取付孔を有し、各取付孔にそれぞれ各柱材の先端を挿入して、各柱材に固定され、
各柱材、前記中間横架材および前記上部横架材は繊維強化樹脂製であることを、
特徴とする繊維強化樹脂製の防護柵。
【請求項２】
複数の補強材と複数の接続材とを有し、各柱材は中空パイプから成り、各補強材は各柱材の下端部の内部に嵌合され、各接続材は一端が各柱材の上端部の内部に嵌合され、他端が前記上部横架材の取付孔に挿入して固定され、各補強材および各接続材は繊維強化樹脂製または樹脂製であることを、特徴とする請求項１記載の繊維強化樹脂製の防護柵。
【請求項３】
各柱材と前記中間横架材、各柱材と各補強材、各柱材と各接続材、および各接続材と前記上部横架材は、各部材を貫通して取り付けられた繊維強化樹脂製の固定ピンと接着材とにより固定されていることを特徴とする請求項２記載の繊維強化樹脂製の防護柵。
【考案の詳細な説明】
【技術分野】
【０００１】
本考案は、繊維強化樹脂製の防護柵に関する。
【背景技術】
【０００２】
従来、ほとんどの防護柵は金属製であり、一部に合成樹脂素材や木材等を用いた防護柵も存在するが（例えば、特許文献１または２参照）、強度を確保するための主要な柱材や横架材は金属製の材料で構成されている。
【先行技術文献】
【特許文献】
【０００３】
【特許文献１】特開２００２−６９９５５号公報
【特許文献２】特開２００５−２３７２４号公報
【考案の概要】
【考案が解決しようとする課題】
【０００４】
従来の全体が金属製の防護柵や、特許文献１や２に記載のような主要な部材が金属製の防護柵は、重く、運搬時に労力を要するという課題があった。また、錆などの腐食により、寿命が短くなるおそれがあるという課題もあった。また、従来の繊維強化樹脂製の防護柵においては、主要部材同士の接合をボルトやリベット等で行っており、一体化構造でないため、交点強度が低いという課題もあった。
【０００５】
本考案は、このような課題に着目してなされたもので、軽くて容易に運搬することができ、交点強度が高く、腐食に強く、寿命が長い繊維強化樹脂製の防護柵を提供することを目的とする。
【課題を解決するための手段】
【０００６】
上記目的を達成するために、本考案に係る繊維強化樹脂製の防護柵は、複数の柱材と、１または複数の中間横架材と、上部横架材とを有し、各柱材は、側部のそれぞれ同じ高さ位置に、前記中間横架材を挿入可能に貫通した１または複数の挿入孔を有し、一列に並ぶよう所定の間隔をあけて互いに平行に配置され、前記中間横架材は、各柱材の同じ高さ位置の挿入孔に挿入されて各柱材に固定され、前記上部横架材は、長さ方向に沿って前記所定の間隔で、各柱材の先端を挿入可能な複数の取付孔を有し、各取付孔にそれぞれ各柱材の先端を挿入して、各柱材に固定され、各柱材、前記中間横架材および前記上部横架材は繊維強化樹脂製であることを、特徴とする。
【０００７】
本考案に係る繊維強化樹脂製の防護柵は、全ての柱材、中間横架材および上部横架材が繊維強化樹脂製であるため、軽くて容易に運搬することができる。また、金属製の部材と比べ、腐食に強く、寿命を延ばすことができる。繊維強化樹脂製であるため強度が高く、各部材を固定して一体化することにより、より強度を高めることができる。中間横架材を各柱材の挿入孔に挿入し、上部横架材の各取付孔に各柱材の先端を挿入するため、接着材や接続金具のみで互いに固定する場合と比べて、交点強度が高く、より強固に固定することができ、さらに強度を高めることができる。
【０００８】
本考案に係る繊維強化樹脂製の防護柵で、中間横架材は１つでも複数でもよく、各柱材には、中間横架材と同じ数の挿入孔が設けられていることが好ましい。なお、中間横架材が複数の場合には、互いに平行を成すように、各柱材に固定される。本考案に係る繊維強化樹脂製の防護柵で、各柱材、中間横架材および上部横架材は、さらに軽量化を図るため、中空パイプから成ることが好ましい。
【０００９】
本考案に係る繊維強化樹脂製の防護柵は、複数の補強材と複数の接続材とを有し、各柱材は中空パイプから成り、各補強材は各柱材の下端部の内部に嵌合され、各接続材は一端が各柱材の上端部の内部に嵌合され、他端が前記上部横架材の取付孔に挿入して固定され、各補強材および各接続材は繊維強化樹脂製または樹脂製であることが好ましい。この場合、補強材により、各柱材の下端部の強度を高めることができ、設置時に各柱材が割れたり破損したりするのを防ぐことができる。また、接続材により、各柱材の上端部の強度を高めることができるとともに、各柱材と上部横架材とを強固に固定することができる。
【００１０】
また、本考案に係る繊維強化樹脂製の防護柵で、各柱材と前記中間横架材、各柱材と各補強材、各柱材と各接続材、および各接続材と前記上部横架材は、各部材を貫通して取り付けられた繊維強化樹脂製の固定ピンと接着材とにより固定されていることが好ましい。この場合、固定ピンと接着材とを併用することにより、各部材を強固に固定することができ、強度を高めることができる。固定ピンが金属製の場合には、その部分だけ腐食が進行して強度が低下し、破損につながるおそれがあるが、固定ピンが繊維強化樹脂製であるため、そのようなおそれがなく、安全性が高い。
【考案の効果】
【００１１】
本考案によれば、軽くて容易に運搬することができ、交点強度が高く、腐食に強く、寿命が長い繊維強化樹脂製の防護柵を提供することができる。
【図面の簡単な説明】
【００１２】
【図１】本考案の実施の形態の繊維強化樹脂製の防護柵を示す（ａ）正面図、（ｂ）側面図である。
【図２】図１に示す繊維強化樹脂製の防護柵の（ａ）  図１（ａ）のＡ部分の拡大図、（ｂ）  図１（ａ）のＢ部分の拡大図である。
【考案を実施するための形態】
【００１３】
以下、図面に基づき本考案の実施の形態について説明する。
図１および図２は、本考案の実施の形態の繊維強化樹脂製の防護柵１を示している。
図１に示すように、繊維強化樹脂製の防護柵１は、複数の柱材２と、１または複数の中間横架材３と、上部横架材４と、複数の補強材１１と、複数の接続材１２とを有している。
【００１４】
図１に示すように、各柱材２は、繊維強化樹脂製の中空の角パイプから成り、側部のそれぞれ同じ高さ位置に、中間横架材３と同じ数の挿入孔２ａを有している。挿入孔２ａは、円形状を成し、中間横架材３をぴったりと挿入可能な大きさで、柱材２の側部に垂直方向に貫通して設けられている。各補強材１１は、繊維強化樹脂製の短い角柱から成る。図１および図２に示すように、各補強材１１は、各柱材２の下端部の内部に嵌合されている。接続材１２は、繊維強化樹脂製の短い角柱から成る。接続材１２は、一端１２ａが各柱材２の上端部の内部に嵌合され、他端１２ｂが柱材２の上端面から上方に突出している。各柱材２は、所定の間隔をあけて互いに平行に、一列に並んで配置されている。
【００１５】
図１に示すように、中間横架材３は、繊維強化樹脂製の中空の丸パイプから成り、各柱材２の同じ高さ位置の挿入孔２ａに挿入されて、各柱材２に固定されている。図１および図２に示すように、上部横架材４は、繊維強化樹脂製の中空の角パイプから成り、１つの側面に、長さ方向に沿って各柱材２の間隔と同じ間隔で設けられた複数の取付孔４ａを有している。各取付孔４ａは、正方形状を成し、各柱材２の接続材１２の他端１２ｂをぴったりと挿入可能な大きさで、側面の厚みを貫通して設けられている。上部横架材４は、各取付孔４ａにそれぞれ各柱材２の接続材１２の他端１２ｂを挿入して、各柱材２に架け渡して固定されている。
【００１６】
図１および図２に示すように、各柱材２と中間横架材３、各柱材２と各補強材１１、各柱材２と各接続材１２、および各接続材１２と上部横架材４は、各部材を貫通して取り付けられた繊維強化樹脂製の固定ピン５と接着材とにより、互いに固定されている。
【００１７】
なお、図１に示す具体的な一例では、柱材２は３本から成り、中間横架材３は２本から成っている。各柱材２は２つの挿入孔２ａを有し、上部横架材４は３つの取付孔４ａを有している。各中間横架材３および上部横架材４は、互いに平行を成すよう、各柱材２に固定されている。
【００１８】
次に、作用について説明する。
防護柵１は、建物や橋脚などの構造物に沿って取り付けられる作業用または検査用の足場などに取り付けて用いられる。繊維強化樹脂製の防護柵１は、全ての柱材２、補強材１１、接続材１２、中間横架材３および上部横架材４が繊維強化樹脂製であるため、軽くて容易に運搬することができる。また、金属製の部材と比べ、腐食に強く、寿命を延ばすことができる。繊維強化樹脂製であるため強度が高く、各部材を固定して一体化することにより、より強度を高めることができる。
【００１９】
繊維強化樹脂製の防護柵１は、補強材１１により、各柱材２の下端部の強度を高めることができ、設置時に各柱材２が割れたり破損したりするのを防ぐことができる。また、接続材１２により、各柱材２の上端部の強度を高めることができるとともに、各柱材２と上部横架材４とを強固に固定することができる。
【００２０】
繊維強化樹脂製の防護柵１は、中間横架材３を各柱材２の挿入孔２ａに挿入し、上部横架材４の各取付孔４ａに各柱材２の接続材１２の他端１２ｂを挿入するため、接着材や接続金具のみで互いに固定する場合と比べて、交点強度が高く、より強固に固定することができる。また、固定ピン５と接着材とを併用して各部材をさらに強固に固定しており、より強度を高めることができる。固定ピンが金属製の場合には、その部分だけ腐食が進行して強度が低下し、破損につながるおそれがあるが、固定ピン５が繊維強化樹脂製であるため、そのようなおそれがなく、安全性が高い。
【００２１】
なお、防護柵１は、足場の床板の上部付近の側面を塞ぐ長板を有していてもよい。そのような長板は、中間横架材３と同様に各柱材２に固定することができる。
【符号の説明】
【００２２】
１  繊維強化樹脂製の防護柵
２  柱材
２ａ  挿入孔
１１  補強材
１２  接続材
３  中間横架材
４  上部横架材
４ａ  取付孔
５  固定ピン
【図１】
0003194933.tif 000003
【図２】
0003194933.tif 000004